(57)【特許請求の範囲】
【請求項１】
インペラの一方側に対向配置されるとともに、吸込口、吐出口、及び前記吸込口と前記吐出口との間に配されるケーシング隔壁を有するケーシングライナを有するケーシングと、
前記インペラを挟んで前記ケーシングの他方側に対向配置されるとともに、前記吸込口から延出するカバー側吸込流路と、前記吐出口から延出するカバー側吐出流路と、前記カバー側吸込流路と前記カバー側吐出流路との間の領域に形成され前記ケーシング隔壁に対向配置されるカバー隔壁とを有する、カバー底部を備える、ケーシングカバーと、
前記ケーシング隔壁と前記カバー隔壁とが軸方向に重なる重なり量を調整可能に、前記ケーシングカバーと前記ケーシングとを組付ける取付調整部と、を備える渦流ポンプ。
【請求項２】
前記取付調整部は、前記ケーシング及び前記ケーシングカバーの少なくともいずれかに設けられ、周方向に沿う長孔を有するフランジ部を備え、前記フランジ部の周方向における締結位置を調整することにより前記ケーシング隔壁と前記カバー隔壁との重なり量が調整可能に構成される、請求項１に記載の渦流ポンプ。
【請求項３】
前記ケーシングは、収容部と、前記収容部に収容されるケーシングライナと、を有し、  前記ケーシングライナに、前記吸込口、前記吐出口、及び前記ケーシング隔壁が、形成される、請求項１に記載の渦流ポンプ。
【請求項４】
前記カバー隔壁の周方向の角度は、前記ケーシング隔壁の周方向の角度の５０％以上１００％以下である、請求項１乃至３のいずれかに記載の渦流ポンプ。
【請求項５】
前記取付調整部は、前記ケーシング隔壁が前記ケーシングの前記吐出口へ向かう周方向一方側への移動を許容するとともに、前記ケーシング隔壁が前記ケーシングの前記吸込口へ向かう周方向他方側への移動を規制する規制部を備える、請求項１乃至４のいずれかに記載の渦流ポンプ。
【請求項６】
前記ケーシングライナと前記ケーシングカバーの周方向の相対位置を示す指標部を備える、請求項１乃至請求項５のいずれかに記載の渦流ポンプ。
【発明の詳細な説明】
【技術分野】
【０００１】
本発明は、渦流ポンプに関する。
【背景技術】
【０００２】
渦流ポンプは、インペラの回転によりポンプ室の内部の水を吐出側に押出し、吸込側に負圧を発生させて、吸込管の内部の空気を吸引する。渦流ポンプにおいて、吸引した空気とポンプ室内の水を撹拌・混合し、気泡を分離して大気中へ放出するとともにポンプ室内部の水をポンプ部の吸込口へ返流することにより自吸水を循環する自吸部を備える構成が知られている。
【先行技術文献】
【特許文献】
【０００３】
【特許文献１】特開平１０−２８８１８５号公報
【発明の概要】
【発明が解決しようとする課題】
【０００４】
このような渦流ポンプは、小さなモータ出力で高揚程が得られるため家庭用の井戸ポンプとして用いられるが、小水量になるほど消費電力が大きくなるため、多くの家庭で使用される蛇口１，２個程度で求められる１０Ｌ〜２０Ｌ／ｍｉｎ程度の揚程での、省エネルギー化が求められている。
【０００５】
省エネルギー化のために、例えば吸込口を二箇所設け、切替弁にていずれかを連通させて昇圧流路の利用角度を変化させることによって消費電力及び揚程の低減を制御する案があるが、切替弁を組込む必要があり、製造コストが高くなる。
【０００６】
また、省エネルギー化のために吸込み側流路と吐出し側流路との隔壁に通水孔を設け、吐出側の水を吸込み側に還流することにより無段階に流量調整する、ということも考えられるが、渦流ポンプ自体の性能が変わらないことから消費電力の低減効果が小さい。
【０００７】
また、隔壁を羽根車に対して進退可能に設け、吸込流路と吐出流路の羽根車へ連通する面積を可変とすることも考えられるが、隔壁を移動する調整弁の構造が複雑となり製造コストが高くなる。
【０００８】
インバータの制御により消費電力を低減することも考えられるが、コストアップや、故障要因の増加、高調波ノイズの発生などを伴う可能性があるため、電気的な変速制御をせずに、簡単な構成で消費電力を低減することが求められる。
【０００９】
そこで本発明は、簡単な構成で消費電力を抑えることが可能な渦流ポンプを提供することを目的とする。
【課題を解決するための手段】
【００１０】
本発明の一形態にかかる渦流ポンプは、インペラの一方側に対向配置されるとともに、吸込口、吐出口、及び前記吸込口と前記吐出口との間に配されるケーシング隔壁を有するケーシングライナを有するケーシングと、前記インペラを挟んで前記ケーシングの他方側に対向配置されるとともに、前記吸込口から延出するカバー側吸込流路と、前記吐出口から延出するカバー側吐出流路と、前記カバー側吸込流路と前記カバー側吐出流路との間の領域に形成され前記ケーシング隔壁に対向配置されるカバー隔壁とを有する、カバー底部を備える、ケーシングカバーと、前記ケーシング隔壁と前記カバー隔壁とが軸方向に重なる重なり量を調整可能に、前記ケーシングカバーと前記ケーシングとを組付ける取付調整部と、を備える。
【発明の効果】
【００１１】
本発明によれば、簡単な構成で消費電力を抑えることが可能な渦流ポンプを提供することができる。
【図面の簡単な説明】
【００１２】
【図１】本発明の一実施形態にかかる給水ユニットの構成を一部断面で示す側面図。
【図２】同給水ユニットを一部省略して示す平面図。
【図３】同給水ユニットを一部省略して示す平面図。
【図４】同渦流ポンプの一部の構成を示す断面図。
【図５】同渦流ポンプの第１状態を示す平面図。
【図６】同渦流ポンプの第２状態を示す平面図。
【図７】同渦流ポンプにおける、取付位置と消費電力の関係を示す説明図。
【図８】本発明の他の実施形態にかかる給水ユニットのケーシングカバーの構成を示す平面図。
【図９】本発明の他の実施形態にかかる給水ユニットの一部の構成を示す平面図。
【図１０】本発明の他の実施形態にかかる給水ユニットの一部の構成を示す平面図。
【図１１】本発明の他の実施形態にかかる給水ユニットの構成を示す側面図。
【図１２】本発明の他の実施形態にかかる給水ユニットの構成を示す側面図。
【発明を実施するための形態】
【００１３】
以下、本発明の一実施形態にかかる給水ユニット１について、図１乃至図７を参照して説明する。図１は本実施形態にかかる給水ユニット１の構成を一部省略して示す側面図であり、図２及び図３は給水ユニット１の一部の構成を示す平面図である。図２はケーシングカバー３０を外したケーシングライナ部２２を上から見た図であり、図３はケーシングライナ部２２上にケーシングカバー３０を上から見た図である。図４は、ポンプ装置１０の一部の構成を示す断面図であり、図５はポンプ装置１０の第１状態、図６はポンプ装置１０の第２状態をそれぞれ示す平面図である。図７はポンプ装置１０の取付位置と消費電力との関係を示すグラフである。
【００１４】
図１乃至図４に示すように、給水ユニット１は、ベース２１と、ポンプ装置１０と、アキュムレータ５１と、電装部５２と、を備える。
【００１５】
ポンプ装置１０は、渦流ポンプであり、ケーシング２０と、ケーシングカバー３０と、インペラ４０と、モータ５０と、を備える。
【００１６】
ケーシング２０は、例えばステンレス鋳造により構成され、ケーシングライナ部２２と、吸込部２４と、吐出部２５と、自吸部２６と、を一体に有する。
【００１７】
ベース２１は、ポンプ設置面に支持される支持部２１ａと、上壁部２１ｂと、を一体に有する。ベース２１は、ケーシング２０などの各種構成部品をポンプ設置面に支持する支持台となる。本実施形態においてベース２１はポンプ装置１０の一部を構成するケーシング２０と別体に構成されている例を示すが、これに限られるものではなく、一体で構成されていてもよい。
【００１８】
ケーシング２０の所定箇所に、ケーシングライナ２３を保持するケーシングライナ部２２が形成される。ケーシングライナ部２２は上側に開口する円筒状に構成される。ケーシングライナ部２２はケーシングライナ２３を収容する円形状の穴である収容部２２ａを有する。
【００１９】
ケーシングライナ２３は、インペラ４０の一方側に対向して配置される円形状のライナ底部２３ａと、インペラ４０の外周に対向配置される筒状の側壁２３ｂと、取付調整部を構成するケーシングフランジ２３ｃと、を一体に備える。ケーシングライナ２３は、ケーシングライナ部２２の収容部２２ａに収容されるとともにケーシングライナ部２２に嵌合され、固定される。
【００２０】
ケーシングライナ２３の側壁２３ｂには、吸込部２４に接続される開口である吸込口２４ａ、吐出部２５に連通する開口である吐出口２５ａ、及び自吸部２６に連通する開口である還流口、が形成されている。
【００２１】
ライナ底部２３ａには、所定の流路を構成する凹部２３ｈが形成される。凹部２３ｈは、吸込口２４ａの近傍に配されるライナ側吸込流路部２３ｅと、吐出口２５ａ近傍に配されるライナ側吐出流路部２３ｆと、ライナ側吸込流路部２３ｅから周方向に円弧状に延出してライナ側吐出流路部２３ｆに至る連続流路部２３ｇとを有する。凹部２３ｈはインペラ４０の下面に対向配置され、インペラ４０の羽根溝に連通する流路を構成する。
【００２２】
円形状のライナ底部２３ａのうち円弧状の凹部２３ｈよりも内側の円形状の領域と当該領域から径方向外側に延出してケーシング隔壁２３ｄまで至る隆起領域は凹部２３ｈよりも上の位置で軸方向に直交する第１の対向面２３ｉを形成する。第１の対向面２３ｉはインペラ４０の下面に対向する。
【００２３】
ケーシング隔壁２３ｄは、側壁２３ｂの吸込口２４ａと吐出口２５ａとの間の領域が径方向内側に突出して構成される。ケーシング隔壁２３ｄは第１の対向面２３ｉから軸方向に沿って立設されインペラ４０の外周に対向する内周面部２３ｊと、内周面部２３ｊのモータ５０側の端縁部から径方向外側に延出する第２の対向面２３ｋと、を備える。
【００２４】
第２の対向面２３ｋは、内周面部２３ｊと連続し、第１の対向面２３ｉよりも上方であって還流口よりも僅かに上の位置に配置され、ケーシングカバー３０のカバー隔壁３０ｆに対向する。一例として本実施形態ではケーシング隔壁２３ｄ及びカバー隔壁３０ｆは中心角が１８度に構成される。
【００２５】
吸込口２４ａは吸込部２４の吸込管２４ｂに接続される。吐出口２５ａは自吸部２６及び吐出部２５の連結曲管２５ｂを介して、吐出管２５ｃに接続される。
【００２６】
ケーシングフランジ２３ｃは、ケーシングライナ２３の側壁２３ｂの外周縁において、周角度がほぼ等間隔となる３箇所にそれぞれ設けられる。ケーシングフランジ２３ｃは板状に形成され、カバーフランジ３０ｃに締結される締結部２３ｍを備える。締結部２３ｍは例えば雌ねじ部またはインサートナットである。
【００２７】
吸込部２４は、一端がケーシング２０吸込口２４ａに接続される吸込管２４ｂを備える。吸込管２４ｂは、上壁部の所定領域において所定の第１方向に沿って例えば水平に延びる管状部材であり、吸込み流路を形成する。吸込管２４ｂの他端側には吸込側フランジ２４ｃが設けられる。吸込側フランジ２４ｃはカバーの外部に導出され、給水管を介して水源に接続される。
【００２８】
また、吸込部２４の所定箇所には、指標部２１ｃが設けられる。指標部２１ｃは例えばケーシングカバー３０の周方向の相対位置に関する情報を示す指標であり、ユーザがケーシングカバー３０の回転量を目視で認識できるように構成されている。ここでは指標部２１ｃの一例として、ケーシングカバー３０の固定突起３０ｊの第１状態における位置を指す矢印が表示されている。
【００２９】
吐出部２５は、ケーシング２０の吐出口２５ａの二次側に連結される連結曲管２５ｂと、連結曲管２５ｂの二次側に接続される吐出管２５ｃと、を備える。連結曲管２５ｂは、９０度屈曲する管状部材であって、その一端が自吸部２６に接続され、その他端が吐出管２５ｃに接続されている。すなわち連結曲管２５ｂは、自吸ケース２６ｂの側壁から側方に導出され、下方に屈曲して吐出管２５ｃ内に至る、所定の流路を形成する。吐出管２５ｃは、吸込管２４ｂと並列に配置される管状部材であって、その一端に吐出側フランジ２５ｄが接続されている。吐出側フランジ２５ｄは、カバーの外部に導出され、供給先の配管に接続される。
【００３０】
自吸部２６は、自吸ケース２６ｂを備える。自吸部２６内には気液分離板によって、第１自吸室及び第２自吸室が形成される。第１自吸室はケーシングライナ２３の吐出口２５ａに連通し、第２自吸室はケーシングライナ２３の還流口に連通している。第２自吸室の側壁には連結曲管２５ｂが接続されている。自吸部２６には、圧力センサ及び流量センサを備えるセンサ装置が設けられている。
【００３１】
ケーシングカバー３０は、インペラ４０の軸方向他方側に配される円形状のカバー底部３０ａと、モータ５０の軸周りを覆う筒状のカバー筒部３０ｂと、ケーシングフランジ２３ｃに締結されるカバーフランジ３０ｃと、を一体に有する。ケーシングカバー３０は、モータ５０に固定される。
【００３２】
カバー底部３０ａには、吸込口２４ａ及び吐出口２５ａからそれぞれ延出する所定形状の凹部で構成されるカバー側吸込流路３０ｄ及びカバー側吐出流路３０ｅが形成される。カバー底部３０ａのカバー側吸込流路３０ｄ及びカバー側吐出流路３０ｅの間の領域は、ケーシングライナ２３側に隆起するカバー隔壁３０ｆを形成する。カバー隔壁３０ｆは、ケーシングライナ２３の第１の対向面２３ｉ及び第２の対向面２３ｋに対向する第３の対向面３０ｇを有する。互いに近接して対向するカバー隔壁３０ｆとケーシング隔壁２３ｄとにより、吸込口２４ａと吐出口２５ａとの間で水の流れを遮る水切り部３１が構成される。
【００３３】
カバーフランジ３０ｃはケーシングカバー３０の外周縁において周方向の３箇所に等間隔で配置されている。カバーフランジ３０ｃはケーシングフランジ２３ｃとともに取付調整部を構成する。例えばカバーフランジ３０ｃは周角度が１２０度ずつ離間した３箇所に配置される。各カバーフランジ３０ｃは調整孔３０ｈを有する。調整孔３０ｈは、締結部材が挿入される孔であり、径方向の寸法よりも周方向の寸法が長い円弧状に沿う長孔である。調整孔３０ｈにより、回転方向におけるケーシングカバー３０の取付け位置が調整可能に構成される。すなわち、調整孔３０ｈの周方向の長さ分だけ、ケーシングカバー３０のケーシングライナ２３との周方向における位置関係を変化させられるため、ケーシング隔壁２３ｄとカバー隔壁３０ｆとが対向して重なる領域を増減できる。調整孔３０ｈは、その両端部において締結部材との相対移動を規制する。すなわち、調整孔３０ｈは、第１状態を基準位置として、ケーシング隔壁２３ｄが吐出口２５ａへ向かう周方向一方側への移動を許容するとともに、ケーシング隔壁２３ｄが吸込口２４ａへ向かう周方向他方側への移動を規制する規制部となる。すなわち、調整孔３０ｈにおける締結位置を調整することで、ケーシングカバー３０とケーシングライナ２３との位相をずらすことが可能となる。カバーフランジ３０ｃとケーシングフランジ２３ｃとにより、ケーシング隔壁２３ｄとカバー隔壁３０ｆとが軸方向に重なる重なり量を調整可能に、ケーシングカバー３０とケーシング２０とを組付ける取付調整部が構成される。
【００３４】
また、調整孔３０ｈの回動調整範囲は、カバー隔壁３０ｆや吐出口２５ａの周方向長さとの関係で、最大の回転角度とした場合にもケーシング側の吐出口２５ａを完全に閉塞しない範囲に設定される。すなわち調整孔３０ｈの周方向の角度は、回動した場合に吐出口２５ａを完全に塞ぐ角度よりも小さく構成されている。本実施形態では、例えば調整角度範囲、すなわち調整孔３０ｈの周方向の角度は、２０度に構成される。
【００３５】
また、ケーシングカバー３０には、メカニカルシール５８に繋がるフラッシング通路３０ｉが形成されている。さらにケーシングカバー３０の外周縁の所定箇所には、ねじ孔を有する固定突起３０ｊが設けられる。固定突起３０ｊに形成されたねじ孔に挿入されるねじ部材をケーシング２０に押しつけることで、ケーシングカバー３０の回転移動を防止する。
【００３６】
例えば図５は、調整孔３０ｈの一端に締結部材３３が挿入され、ケーシング隔壁２３ｄとカバー隔壁３０ｆとが軸方向に重なり位相差が０度である第１状態を示す。図６は、第１状態から、ケーシングカバー３０が吐出流路側に変位するようにケーシングライナ２３に対してケーシングカバー３０を反時計回りに２０度回転移動させて締結した第２状態を示す。第２状態は、第１状態からの回転角、すなわちケーシングライナ２３とケーシングカバー３０との位相差が２０度となり、カバー隔壁３０ｆとケーシング隔壁２３ｄの端部同士が離間して水切り部３１に隙間３１ａが形成される。
【００３７】
インペラ４０は、中央に軸孔を有する円盤形状であって、その軸方向両側の面に複数の羽根溝が形成されている。インペラ４０は、モータ５０に接続され、モータ５０によって回転する。
【００３８】
モータ５０は、鉛直方向に延びる軸５０ａ、回転子、及び固定子を備える。モータ５０の軸５０ａの先端にインペラ４０が接続されている。またモータ５０の上部にはファン５６が設けられ、モータ５０のファン５６の上側にはファンカバー５７が設けられている。また、モータ５０の軸５０ａの所定箇所には、メカニカルシール５８が装着されている。
【００３９】
ポンプ装置１０は、電装部５２の制御部の制御により、モータ５０の回転子が回転すると、モータ５０の回転軸に取付けられたインペラ４０が、所定の回転速度で回転する。インペラ４０の回転によって、ポンプ装置１０は、ケーシング２０の吸込口２４ａから、流体を吸い込む。流体は水源から吸込側フランジ２４ｃ、及び吸込管２４ｂを通って、吸込口２４ａから流入し、増圧され、吐出口２５ａから自吸部２６に送られる。また、流体は、自吸部２６から、吐出部２５に送られ、連結曲管２５ｂ及び吐出管２５ｃを通って吐出側フランジ２５ｄから供給先へ送られる。
【００４０】
本実施形態にかかるポンプ装置１０によれば、消費電力を抑えることが可能である。ポンプ装置１０において、ケーシング隔壁２３ｄと、カバー隔壁３０ｆの重なり角度の減少に伴い、吐出し圧力が低下するが、消費電力も顕著に低下する。したがって、ポンプ装置１０においては、ケーシングライナ２３とケーシングカバー３０との取付け角度を調整することにより消費電力を低減することが可能となる。
【００４１】
本実施形態にかかるポンプ装置１０では、周方向に取付け位置を調整できる締結部を備えることにより、簡便な取り付け構造により、インバータを使用せずに、吐出し圧力を調整して任意に消費電力を低減する機能を実現できる。
【００４２】
図７は、ケーシング隔壁２３ｄと、カバー隔壁３０ｆが周方向において同位置に揃い回転角が０度となる第１状態を基準として、回転角と、停止流量時の圧力である停止時圧力、流量、最大消費電力、及び最高総合効率を示すグラフである。第１状態においては、例えば停止時圧力３１．３ｍ、圧力１２ｍ時流量４０Ｌ／ｍｉｎ、最大消費電力４８４Ｗ、最高総合効率２６．２％となる。
【００４３】
一方、中間状態である回転角１０度の位置では、例えば停止時圧力２７．２ｍ、圧力１２ｍ時流量３０Ｌ／ｍｉｎ、最大消費電力４４８Ｗ、最高総合効率１８．４％となる。また、例えば第２状態となる回転角２０度の位置では、停止時圧力２１．５ｍ、圧力１２ｍ時流量２１Ｌ／ｍｉｎ、最大消費電力３７３Ｗ、最高総合効率１３．５％となる。
【００４４】
また、ポンプ装置１０を井戸水の揚水に使用した場合、ケーシングカバー３０の吐出し側から逆流して吸込側流路に流入した水流は吸込側流路の負圧を軽減することから、大水量時のキャビテーションによる流量低下を緩和する効果も有している。
【００４５】
また、ポンプ装置１０において、調整孔の位置は、一端が第１状態に締結され、他端は第１状態よりも吐出流路側に締結される位置に配置される。したがって、ケーシングカバー３０は第１状態を基準として、吸込流路から離れる方向にのみ移動可能に構成されることで、吸込流路にケーシングカバー３０のカバー隔壁３０ｆが突出して重ならないように構成されている。このため、吸込流路内での圧力損失の増加を防止しつつ、消費電力を調整できる。
【００４６】
なお、本発明は上記各実施形態そのままに限定されるものではなく、実施段階ではその要旨を逸脱しない範囲で構成要素を変形して具体化できる。
【００４７】
例えばカバー隔壁３０ｆの周方向の角度は、ケーシング隔壁２３ｄの周方向の角度の５０％以上１００％以下としてもよい。
【００４８】
例えば、ケーシングライナ２３とケーシングカバー３０の隔壁２３ｄ，３０ｆの形状は必ずしも一致していなくても、揚水性能は変化しないため、異なる形状としてもよい。例えば隔壁が周方向に占める角度に対して５０％まで減少しても、揚水性能は変化しない。このため、他の実施形態として図８に示すポンプ装置１０Ａのケーシングカバー３０Ａように、カバー隔壁３０ｆを、ケーシング隔壁２３ｄよりも小さく構成してもよい。なお、本実施形態にかかるポンプ装置１０Ａは、ケーシングカバー３０Ａのカバー隔壁３０ｆの形状が上記第１実施形態にかかるポンプ装置１０と異なるが、その他の構成についてはポンプ装置１０と同様に構成されているため、共通する説明を省略する。
【００４９】
ポンプ装置１０Ａは、ケーシング隔壁２３ｄの周角度が１８度であり、カバー隔壁３０ｆはケーシング隔壁２３ｄの５０％の周角度である９度に構成される。ポンプ装置１０Ａは、吐出側の端部を一致させた第１状態を基準とし、吐出流路側に回動して調整することが可能に構成されている。この場合、位相差を設けた際にカバー隔壁３０ｆの端部がケーシング隔壁２３ｄの端部よりも突出する部分を減少することができ、ひいては最大回転角度を減少させることができる。したがって、必要回転角度が少なくなるためフランジ部を小型化することもできる。
【００５０】
上記実施形態において調整孔３０ｍが円弧状に延びる長孔である構成を例示したがこれに限られるものではない。例えば図９に示すポンプ装置１０Ｂのように、調整孔１３０ｍは、複数の円が周方向に連なる形状であってもよい。例えばポンプ装置１０Ｂの調整孔１３０ｍは、周角度が１０度ずつ異なる３つの円を連ねた長孔形状である。本実施形態においても、上記第１実施形態と同様に単純な締結作業で消費電力を調整できる。さらに、本実施形態にかかる調整孔１３０ｍは複数段階で設けられた円を基準に目視位置が確認できるため、位置設定が容易に確実に行える。また、ポンプ装置１０Ｂの調整孔は、周角度が２０度異なる２つの孔が円周方向に配置された形状であってもよい。この場合、６個の孔を加工すればよいため、製作が容易となる。本実施形態においても、上記第１実施形態と同様に単純な締結作業で、２段階に消費電力を調整できる。
【００５１】
上記実施形態においてはケーシングフランジ２３ｃとカバーフランジ３０ｃとを締結部材により締結固定する構成を例示したがこれに限られるものではない。例えば他の実施形態として図１０に示すポンプ装置１０Ｃのケーシングカバー３０のように、カバーフランジ３０ｃの一部２３１を締結部材２３２とケーシング２０の間に挟持して固定する取付構造を用いてもよい。
【００５２】
上記実施形態においてケーシング２０側にケーシングカバー３０との相対位置関係を表示する指標部２１ｃを設けた構成を例示したがこれに限られるものではない。例えば図１１に示すポンプ装置１０Ｄは、指標部２１ｃとして、ケーシング２０側と、ファンカバー５７に、それぞれ矢印や目盛りなどの指標が表示されている。例えばケーシング２０には矢印２１ｄが表示され、ファンカバー５７には回転角度を示す目盛り部５７ａが設けられている。例えば目盛り部５７ａは分度シールが貼付けられて構成され、上面視においてユーザが回転角度を視認可能に構成されている。この他、圧力計により計測するポンプの吐出し圧力や、電流クランプ計により測定する運転電流などを指標として回転量を調整してもよい。
【００５３】
上記実施形態において、ベース２１がケーシング２０に別体に設けられた構造を例示したが、これに限られるものではなく、例えばベース２１とケーシング２０、あるいは各種の流路を構成する管部材を、一体としてもよい。
【００５４】
また、上記実施形態においてモータ５０の軸５０ａが鉛直方向に設置される縦軸の配置を示したがこれに限られるものではない。例えば図１２に示すポンプ装置１０Ｅはモータ５０の軸５０ａが水平に設定される横置きタイプのポンプ装置である。ポンプ装置１０Ｅにおいて、一例としてケーシングライナ２３は、ケーシング２０に一体に設けられている。この場合にも、周方向の位置を設定することで重なり量を調整することができ、インバータを用いずに簡単な構成で消費電力が調整可能となる。
【００５５】
さらに、上記実施形態の構成要件のうち一部を省略しても本発明を実現可能である。
【符号の説明】
【００５６】
１…給水ユニット、１０、１０Ａ、１０Ｂ、１０Ｃ、１０Ｄ、１０Ｅ…ポンプ装置、２０…ケーシング、２１…ベース、２１ａ…支持部、２１ｂ…上壁部、２１ｃ…指標部、２２…ケーシングライナ部、２２ａ…収容部、２３…ケーシングライナ、２３ａ…ライナ底部、２３ｂ…側壁、２３ｃ…ケーシングフランジ、２３ｄ…ケーシング隔壁、２３ｅ…ライナ側吸込流路部、２３ｆ…ライナ側吐出流路部、２３ｇ…連続流路部、２３ｈ…凹部、２３ｉ…対向面、２３ｊ…内周面部、２３ｋ…対向面、２３ｍ…締結部、２４…吸込部、２４ａ…吸込口、２４ｂ…吸込管、２４ｃ…吸込側フランジ、２５…吐出部、２５ａ…吐出口、２５ｂ…連結曲管、２５ｃ…吐出管、２５ｄ…吐出側フランジ、２６…自吸部、２６ｂ…自吸ケース、３０、３０Ａ…ケーシングカバー、３０ａ…カバー底部、３０ｂ…カバー筒部、３０ｃ…カバーフランジ、３０ｄ…カバー側吸込流路、３０ｅ…カバー側吐出流路、３０ｆ…カバー隔壁、３０ｇ…対向面、３０ｈ…調整孔、３０ｉ…フラッシング通路、３０ｊ…固定突起、３０ｍ…調整孔、３１…水切り部、３１ａ…隙間、３３…締結部材、４０…インペラ、５０…モータ、５０ａ…軸、５１…アキュムレータ、５２…電装部、５６…ファン、５７…ファンカバー、５７ａ…目盛り部、５８…メカニカルシール、１３０ｍ…調整孔、２３１…一部、２３２…締結部材
【図１】
0006852129.tif 000002
【図２】
0006852129.tif 000003
【図３】
0006852129.tif 000004
【図４】
0006852129.tif 000005
【図５】
0006852129.tif 000006
【図６】
0006852129.tif 000007
【図７】
0006852129.tif 000008
【図８】
0006852129.tif 000009
【図９】
0006852129.tif 000010
【図１０】
0006852129.tif 000011
【図１１】
0006852129.tif 000012
【図１２】
0006852129.tif 000013